(57)【要約】【課題】組み立てが容易で強度に優れるとともに製造、運搬及び保管コストが低い簡易組立構造体を提供することにある。【解決手段】複数の矩形状のパネル部材１０を、連結片部材２０を介在させてアーチ状の形状に連結すると共に奥行方向Ｄに複数列を連結してトンネル状に組み立てられる簡易組立構造体１であって、連結片部材２０が、パネル部材１０の一辺の長さよりも短い板片状に設けられ、前記アーチ状に配される隣り合うパネル部材１０の側縁壁部１２ａに渡って固定されることでパネル部材１０同士が連結され、パネル部材１０同士を連結した隣り合う連結片部材２０に渡って固定されることで前記アーチ状の形状を補強する補強用の連結片部材２０を備える。【選択図】図２
2013185378.tif 000002
【特許請求の範囲】
【請求項１】
複数の矩形状のパネル部材を、連結片部材を介在させてアーチ状の形状に連結すると共に奥行方向に複数列を連結してトンネル状に組み立てられる簡易組立構造体であって、
前記連結片部材が、前記パネル部材の一辺の長さよりも短い板片状に設けられ、前記アーチ状に配される隣り合う前記パネル部材の側縁壁部に渡って固定されることで、該パネル部材同士が連結され、
前記パネル部材同士を連結した隣り合う前記連結片部材に渡って固定されることで、前記アーチ状の形状を補強する補強用の連結片部材を備えることを特徴とする簡易組立構造体。
【請求項２】
前記連結片部材と前記補強用の連結片部材とが同一形状の部材であることを特徴とする請求項1記載の簡易組立構造体。
【請求項３】
前記補強用の連結片部材の上縁が、中央で平坦に設けられた中央上縁部と、前記アーチ状の形状に沿う両側の傾斜上縁部とによって構成され、前記中央上縁部の上に前記パネル部材の側縁壁部が位置するように固定されることを特徴とする請求項１又は２記載の簡易組立構造体。
【請求項４】
前記連結片部材及び前記パネル部材には複数の取付用孔が設けられ、該取付用孔を用いて締結部材によって固定されていることを特徴とする請求項１〜３のいずれかに記載の簡易組立構造体。
【請求項５】
前記アーチ状の形状の下方に、鉛直方向へ延設されてかさ上げされるように、起立側壁板が固定されていることを特徴とする請求項１〜４のいずれかに記載の簡易組立構造体。
【発明の詳細な説明】
【技術分野】
【０００１】
この発明は、複数のパネル部材を、連結片部材を介在させてアーチ状の形状に連結すると共に奥行方向に複数列を連結してトンネル状に組み立てられ、車庫や農業・園芸用ハウスなどに用いられる簡易組立構造体に関する。
【背景技術】
【０００２】
車庫は、車を雨、風や雪などから防ぎ、車を長持ちさせるため丈夫なものでなければならない。しかしながら、一般家庭では一台の車が好みや経済性によって買い換えられて大きさが変わったり、手放したりされるので、家のような恒久性は必要とされない。したがって、車庫は個人が敷地や車の大きさに合わせて作れるもので、大きさの調整が可能で、製造コストが低いことが望ましい。また、農業・園芸用ハウスについても、雨、風や雪などに耐える丈夫さは必要ではあるが、農作物や植物に対応して大きさを変えたり、その設置位置を変えられることが望ましい。そこで、このような課題を解決するため、組立構造体を安く購入することができ、熟練した職人でなくても容易に作ることができるように考案がなされている（特許文献１参照）。
【０００３】
特許文献１によれば、複数のアーチ状ユニット部材１Ａ、１Ａ・・・を変位自在に連結することによって、車種に応じた所望の大きさ（長さ）に成形される車庫が開示されている。この考案によれば、構成が単純で、大量生産に適し、価格も低廉なものとすることができる（段落［００３３］）。
【０００４】
しかしながら、各ユニット部材の連結部分は単純にビス止めされるだけで、その強度は十分でない。また、ユニット部材を採用しているが、側壁と軒材と棟材とに分かれて形状がそれぞれ異なり、各構成部材も大きなものになっているため、製造コストや運搬・保管のコストがかかってしまう。
【先行技術文献】
【特許文献】
【０００５】
【特許文献１】実開平６−８２３０８
【発明の概要】
【発明が解決しようとする課題】
【０００６】
本発明は、上記のような事情に鑑みてなされたものであり、強度に優れると共に、製造、運搬及び保管コストを低減できる簡易組立構造体を提供することを目的とする。
【課題を解決するための手段】
【０００７】
本発明にかかる簡易組立構造体の一形態によれば、複数の矩形状のパネル部材を、連結片部材を介在させてアーチ状の形状に連結すると共に奥行方向に複数列を連結してトンネル状に組み立てられる簡易組立構造体であって、前記連結片部材が、前記パネル部材の一辺の長さよりも短い板片状に設けられ、前記アーチ状に配される隣り合う前記パネル部材の側縁壁部に渡って固定されることで、該パネル部材同士が連結され、前記パネル部材同士を連結した隣り合う前記連結片部材に渡って固定されることで、前記アーチ状の形状を補強する補強用の連結片部材を備える。
【０００８】
また、本発明にかかる簡易組立構造体の一形態によれば、前記連結片部材と前記補強用の連結片部材とが同一形状の部材であることを特徴とすることができる。
【０００９】
また、本発明にかかる簡易組立構造体の一形態によれば、前記補強用の連結片部材の上縁が、中央で平坦に設けられた中央上縁部と、前記アーチ状の形状に沿う両側の傾斜上縁部とによって構成され、前記中央上縁部の上に前記パネル部材の側縁壁部が位置するように固定されることを特徴とすることができる。
【００１０】
また、本発明にかかる簡易組立構造体の一形態によれば、前記連結片部材及び前記パネル部材には複数の取付用孔が設けられ、該取付用孔を用いて締結部材によって固定されていることを特徴とすることができる。
【００１１】
また、本発明にかかる簡易組立構造体の一形態によれば、前記アーチ状の形状の下方に、鉛直方向へ延設されてかさ上げされるように、起立側壁板が固定されていることを特徴とすることができる。
【発明の効果】
【００１２】
本発明にかかる簡易組立構造体によれば、その構成部品であるパネル部材と連結片部材とが、それぞれ大きな部品とならないため簡易に製造できると共に、強固な組立構造となるように設けられている。このため、強度に優れると共に、製造、運搬及び保管コストを低減できるという特別有利な効果を奏する。
【図面の簡単な説明】
【００１３】
【図１】本発明にかかる簡易組立構造体の構築形態例を示す斜視概要図である。
【図２】本発明にかかる簡易組立構造体の開口部側から見た状態の形態例を示す正面概要図である。
【図３】本発明にかかるパネル部材の形態例を示す６面図である。
【図４】図２のパネル部材と連結片部材の取り付け状態の、主に連結片部材同士を固定する状態の位置関係を示す正面部分図である。
【図５】本発明にかかる簡易組立構造体の連結片部材の形態例を示す正面図である。
【図６】図４のＡ−Ａ線におけるパネル部材と連結片部材と締結部材との位置関係を示す断面図である。
【発明を実施するための形態】
【００１４】
以下、本発明にかかる簡易組立構造体の形態例を添付図面（図１〜６）に基づいて詳細に説明する。
【００１５】
簡易組立構造体１は、主に車庫や農業・園芸用ハウスとして用いられる。この簡易組立構造体１は、図１及び図２に示すように、複数の矩形状のパネル部材１０を、連結片部材２０を介在させて締結部材３０で固定し、アーチ状の形状に連結すると共に奥行方向Ｄに複数列を連結してトンネル状に組み立てられる。これらのパネル部材１０、連結片部材２０及び締結部材３０は、いずれも同一形状で同一の大きさである。このため、製造コスト及び運搬・保管コストを大幅に削減することができる。
【００１６】
パネル部材１０は、図３に示すように、全体が略平板状であって、車庫等の外面を形成する板状部１１と、その板状部１１から下側へ突出させた側縁壁部１２とを有する。パネル部材１０は可塑性材料で射出成型されるものが製造コスト面で有利であるが、木材や金属を利用することも可能である。また、農業・園芸用ハウスとして用いる場合は、内部に生育させる植物によって全体又は一部を透光性のある材質とすることができる。また、板状部１１の一部を肉抜きすることで、ビニールハウスの骨組みとして利用したり、雨、風等を通過させたりすることもできる。さらに、パネル部材１０は全て同一形状である。これにより、製造コスト及び運搬・保管コストを削減することができる。以下、一体成型されるパネル部材１０を用いた簡易組立構造体について説明する。
【００１７】
板状部１１は、図３に示すように、矩形平板状であって、側縁壁部１２により形成される矩形状枠体より下方及び奥行方向Ｄへ突出した延長部１１ａ、１１ｂを形成している。
【００１８】
下方への延長部１１ａは、図４に示すように、パネル部材１０でアーチ状を形成する際に、下方に位置するパネル部材１０の板状部１１の上辺端部に延長部１１ａの下面が接するとともにさらにその接触部より庇のように突出している。かかる構成により、上下方向Ｈに連結されたパネル部材１０の連結箇所から内部へ雨、風等が侵入することを防ぐことができる。ここで上下方向Ｈとは、図１に示すとおり、トンネル状を形成する方向をいう。
【００１９】
奥行方向Ｄへの延長部１１ｂは、パネル部材１０が奥行方向Ｄに連結される箇所において隣接するパネル部材１の板状部１１に重なる部分である。この構成によって、奥行方向Ｄに連結されたパネル部材１０の連結箇所から内部へ雨等が侵入することを防ぐことができる。この延長部１１ｂに対応して奥行方向Ｄに隣接する板状部１１の上面縁部は鉛直方向に渡って凹部１１ｃが形成されている。かかる構成により、簡易組立構造体１の外面は水平方向に略連続したフラットな面が形成されて雨、風等の抵抗を減じ、外観もすっきりした美しいものとなる。
【００２０】
側縁壁部１２は、図３に示すように、板状部１１の矩形状に略沿って板状部１１に対して直角に突出させた同幅の突条によって枠状に形成されている。上下方向Ｈに位置する側縁壁部１２ａ、１２ａには、それぞれ後述する連結片部材２０を締結部材３０によって取り付けるための取付用孔（１３ａ、１３ｂ）が設けられている。
【００２１】
この取付用孔（１３ａ、１３ｂ）は、パネル部材１０を連結片部材２０によって上下方向Ｈ及び奥行方向Ｄへ連結するため各側縁壁部１２ａに少なくとも２か所以上必要となる。本実施形態では各側縁壁部１２ａに４か所の取付用孔（１３ａ、１３ｂ）が形成されている。側縁壁部１２ａの長手方向の中央部より上側の取付用孔１３ａ、１３ａが上方向並びに奥行方向Ｄへ隣接するパネル部材１０を連結するために用いられ、下側の取付用孔１３ｂ、１３ｂが下方向並びに奥行方向Ｄへ隣接するパネル部材１０を連結するために用いられる。
【００２２】
連結片部材２０は、図４及び図５に示すように、パネル部材１０の一辺の長さより短く、全体の輪郭が長手方向の両側を細くした柳葉形の板片状である。この連結片部材２０は、上縁が、中央で平坦に設けられた中央上縁部２１ｃと、前記アーチ状の形状に沿う両側の傾斜上縁部２１ａ、２１ｂとを備え、複数の取付用孔２１が形成されている。この連結片部材２０は、パネル部材１０同士を連結するために用いられるだけでなく、パネル部材同士を連結した連結片部材２０に渡って固定されることでアーチ状の形状を補強するために用いられる。すなわち、本形態例では、パネル部材１０の連結用の連結片部材と補強用の連結片部材とが同一形状である。また、連結片部材２０の長手方向の大きさが、パネル部材１０の一辺の長さより短いことから、比較的小さな部材であり、製造コスト及び運搬・保管コストを削減することができる。
【００２３】
中央上縁部２１ｃは、図４に示すように、連結片部材２０がパネル部材１０同士を連結する際には、それらのパネル部材１０の上下方向Ｈの連結箇所に位置する。一方、連結片部材２０が連結片部材２０同士を固定する際には、図４及び図６に示すように、中央上縁部２１ｃは側縁壁部１２ａの長手方向の中央部下面に位置する。これにより、中央上縁部２１ｃは側縁壁部１２ａを介してパネル部材１０を支えることができる。
【００２４】
傾斜上縁部２１ａ、２１ｂは、図４に示すように、それぞれ上下方向Ｈに異なるパネル部材１０の下面に接している。この下面は、図６に示すように、延長部１１ｂの下であって、奥行方向Ｄへ並んだ異なるパネル部材１０の側縁壁部１２ａの間である。
【００２５】
連結片部材２０に形成された複数の取付用孔（２１ａ、２１ｂ）は、パネル部材１０を連結するとともに連結片部材２０同士を固定するために用いられる。このため、取付用孔（２１ａ、２１ｂ）には、パネル部材１０同士の連結と連結片部材２０同士の固定の両方の役割を果たす孔と連結片部材２０同士を固定するための孔とがある。それぞれの孔は少なくとも２か所以上必要となる。
【００２６】
具体的には、本実施形態では、図４及び図５に示すように、パネル部材１０同士の連結と連結片部材２０同士の固定の両方の役割を果たす取付用孔（２１ａ、２１ｂ）は、傾斜上縁部２０ａ、２０ｂのそれぞれの両端部に位置する取付用孔２１ａ，２１ａ，２１ｂ，２１ｂの４か所である。他の孔は、連結片部材２０同士を固定するためにのみ用いられる。なお、本実施形態では、連結片部材２０の中央部に３か所の吊り下げ用孔２５が形成され、紐を通して布部材を吊り下げたり、照明器具及びそのコードを吊り下げたりすることができる。
【００２７】
また、本実施形態では、連結片部材２０は、図４〜６に示すように、取付用孔（２１ａ、２１ｂ）及び吊り下げ用孔２５の孔縁並びにリブ部を除いてほとんどの面が薄肉に形成されている。これにより、連結片部材２０の軽量化を可能としている。
【００２８】
また、連結片部材２０同士を固定する補強用の連結片部材２０は、パネル部材１０を連結する連結片部材２０の奥行方向Ｄの片側にのみ固定することもその両側に固定することも可能である。後者の場合にはより強固に連結片部材２０同士を固定することができる。
【００２９】
さらに、取付用孔（２１ａ、２１ｂ）は、上記４箇所の取付用孔２１ａ、２１ａ、２１ｂ、２１ｂ及びそれぞれの孔が隣接する孔を除き、奥行方向Ｄの片側に孔の縁部分を外側へ突出させて補強用の連結片部材２０を固定する際に補強用の連結片部材２０の取付用孔２１に嵌合できるように構成することも可能である。これにより、補強用の連結片部材２０が強く連結片部材２０を固定してアーチ状を維持することが可能となり、後述する締結部材３０の数を減らすこともできる。なお、上記４箇所の取付用孔２１ａ、２１ａ、２１ｂ、２１ｂについても、それらの縁部分を外側へ突出させて取付用孔１３ａ、１３ａ、１３ｂ、１３ｂと嵌合させたり、逆に取付用孔１３ａ、１３ａ、１３ｂ、１３ｂの縁部分を外側へ突出させて取付用孔２１ａ、２１ａ、２１ｂ、２１ｂと嵌合させることも可能である。
【００３０】
締結部材３０は、パネル部材１０と連結片部材２０の連結並びに連結片部材２０同士を補強用の連結片部材２０で固定するのに用いられる。締結部材３０としては、ボルトとナット、リペットなど孔の一方の開口側から通して他方の開口側で固定することができる各種締結具を用いることができる。
【００３１】
次に、簡易組立構造体を車庫として施工する方法の一例を説明する。特に、車の背の高さや敷地の都合でアーチ状部と鉛直方向に直立した壁面部を備えて逆Ｕ字状の開口部を構成する場合について主に図２を参照して説明する。
【００３２】
屋外で、鉛直方向に一定の高さが必要な車庫については、まず、ブロックなどで車幅方向のアーチ状部の末端部間の距離で奥行方向Ｄへ２列の土台５０を敷設する。土台５０を敷設したら、奥行方向Ｄへ最低１列のパネル部材１０を地面と垂直方向に立てる。この場合、パネル部材１０を起立側壁板５１に固定する。起立側壁板５１は、縦長矩形板状材であって、下端が土台にアンカーなどで固定され、アーチ状部を鉛直方向へかさ上げするために用いられる。垂直に固定されたパネル部材１０によって壁面部５２が形成されたら、壁面部５２の頂部よりパネル部材１０を連結片部材２０によって上方及び奥行方向Ｄへ連結していく。連結に際しては、パネル部材１０の側縁壁部１２ａに形成した取付用孔（１３ａ、１３ｂ）と連結片部材２０に形成した取付用孔（２１ａ、２１ｂ）とを合わせて締結部材３０を通して固定する。この場合、図６に示すように、奥行方向Ｄへ隣接するパネル部材１０の側縁壁部１２ａの取付用孔（１３ａ、１３ｂ）も締結部材３０が通されるので、計３枚の板状部分が締結部材３０によって固定される。
【００３３】
連結片部材２０によってパネル部材１０がすべて連結されたら補強用の連結片部材２０を連結片部材２０に渡って締結部材３０で固定する。これにより、複数の連結片部材２０が一連一体的に固定されて強固なアーチ状に形成される。アーチ状の頂部は側縁壁部１２が対面した状態で隙間が生ずるので、その隙間には、帯状の板などの間隙を埋める部材が取り付けられる。なお、パネル部材１０を連結しながら補強用の連結片部材２０を固定していくことも可能である。
【００３４】
上記の施工によりトンネル状が形成されたら吊り下げ用孔２５を用いて内部空間に適宜照明器具等を吊り下げたり、アーチ状の入り口部を覆うシートなどの開閉部材を吊り下げたりすることができる。
【００３５】
この実施の形態例では、図１及び図２に示すように１４枚のパネル部材１０によって簡易組立構造体１のアーチ状部分を形成している。一つのパネル部材１０の上下方向Ｈの高さは約４０ｃｍ、奥行方向Ｄの幅が約４６ｃｍである。普通自動車の長さは４５０ｃｍ前後であるため、その場合にアーチ状部が１０列必要となり、パネル部材１０は計１４０枚となる。この構成による内部空間の高さは約２００ｃｍである。なお、内部空間の高さは壁面部５２のパネル部材１０の上下方向Ｈの列の数により調整が可能である。また、パネル部材１０を大きくし、連結片部材２０の上縁部の角度を調整することで簡易組立構造体１を構成するパーツの数を減らすこともできる。一方、逆に、よりパーツを増やしてより滑らかな曲面のアーチ状を形成することも可能である。
【００３６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３７】
１    簡易組立構造体
１０  パネル部材
１１  板状部
１１ａ  下方延長部
１１ｂ  横方延長部
１１ｃ  凹部
１２  側縁壁部
１２ａ  上下方向Ｈの側縁壁部
１３  取付用孔
１３ａ  上側の取付用孔
１３ｂ  下側の取付用孔
２０  連結片部材
２０ｃ  中央上縁部
２０ａ  上側の傾斜上縁部
２０ｂ  下側の傾斜上縁部
２１  取付用孔
２１ａ  上側の連結及び固定用取付用孔
２１ｂ  下側の連結及び固定用取付用孔
２５  吊り下げ孔
３０  締結部材
５０  土台
５１  起立側壁板
５２  壁面部
Ｄ  奥行方向
Ｈ  上下方向
【図１】
2013185378.tif 000003
【図２】
2013185378.tif 000004
【図３】
2013185378.tif 000005
【図４】
2013185378.tif 000006
【図５】
2013185378.tif 000007
【図６】
2013185378.tif 000008